(57)【要約】ブレーキ液は、（ａ）ジエチレングリコールおよび／またはジプロピレングリコール１０〜５０質量％、有利に２０〜４０質量％および（ｂ）（ポリ）エチレングリコールおよび／または（ポリ）プロピレングリコールのモノアルキルエーテルの１種以上５０〜９０質量％、有利に６０〜８０質量％を含有する。本発明のブレーキ液は特にボレートを含まず、低い吸湿性により高い相対湿度の地域での使用に適している。【特許請求の範囲】
【請求項１】
（ａ）ジエチレングリコールおよび／またはジプロピレングリコール１０〜５０質量％、有利に２０〜４０質量％
および
（ｂ）（ポリ）エチレングリコールおよび／または（ポリ）プロピレングリコールのモノアルキルエーテルの１種以上５０〜９０質量％、有利に６０〜８０質量％
を含有するブレーキ液体。
【請求項２】
ホウ酸エステルを含有しない請求項１記載の液体。
【請求項３】
ポリアルキレングリコールジアルキルエーテルを含有しない請求項１または２記載の液体。
【請求項４】
成分ａ）としてジエチレングリコールを使用する請求項１から３までのいずれか１項記載の液体。
【請求項５】
成分ｂ）において、グリコールがモノエチレングリコール、ジエチレングリコール、トリエチレングリコール、テトラエチレングリコール、ペンタエチレングリコール、ヘキサエチレングリコール、モノプロピレングリコール、ジプロピレングリコール、トリプロピレングリコール、テトラプロピレングリコール、ペンタプロピレングリコール、およびヘキサプロピレングリコールから選択される請求項１から４までのいずれか１項記載の液体。
【請求項６】
成分ｂ）において、アルキル基が直鎖状および分枝状Ｃ１〜Ｃ６−アルキル基、有利に直鎖状および分枝状Ｃ１〜Ｃ４−アルキル基、特にメチル、エチル、イソプロピルおよびｎ−ブチルから選択される請求項１から５までのいずれか１項記載の液体。
【請求項７】
成分ｂ）がメチルジエチレングリコール、メチルトリエチレングリコール、メチルテトラエチレングリコール、およびブチルトリエチレングリコールから選択される請求項１から６までのいずれか１項記載の液体。
【請求項８】
更にアルキレンオキシド単位２〜１０個、有利に２〜３個を有する、エチレンオキシドおよび／またはプロピレンオキシドおよび／またはブチレンオキシドと水またはジオールの反応生成物、有利にエチレンオキシドとプロピレンオキシドの混合物と水の反応生成物が存在する請求項１から７までのいずれか１項記載の液体。
【請求項９】
１種以上の腐食防止剤０.００１〜１０質量％、有利に０.００５〜４質量％、特に０.００５〜１質量％が存在する請求項１から８までのいずれか１項記載の液体。
【請求項１０】
腐食防止剤が１Ｈ−１，２，３−ベンゾトリアゾール、１Ｈ−１，２，３−トルトリアゾール、水素化１Ｈ−１，２，３−トルトリアゾール、ベンズイミダゾールおよび／またはその誘導体、リン酸および亜リン酸のアルカリ金属塩、脂肪酸、有利にカプリル酸、ラウリン酸、パルミチン酸、ステアリン酸またはオレイン酸、これらのアルカリ金属塩、リン酸および亜リン酸のエステル、有利にリン酸エチル、リン酸ジメチル、リン酸イソプロピル、リン酸ジイソプロピル、亜リン酸ブチルまたは亜リン酸ジメチル、エトキシル化されていてもよいモノ−およびジアルキルアミン、および無機酸および脂肪酸とのこれらの塩、有利にブチルアミン、ヘキシルアミン、オクチルアミン、イソノニルアミン、オレイルアミン、ジプロピルアミン、ジイソプロピルアミン、またはジブチルアミン、エトキシル化されていてもよいアルカノールアミン、有利にモノ−、ジ−またはトリエタノールアミン、Ｎ，Ｎ′−ジ−ｎ−ブチルアミノエタノールまたは１，１′−イミノジプロパン−２−オール、シクロヘキシルアミン、および／またはニトロ芳香族化合物。有利に３−ニトロベンズアルデヒドからなる群から選択される請求項１から９までのいずれか１項記載の液体。
【請求項１１】
以下の規格値（ＤＯＴ４）
ＥＲＢＰ：２３０℃以上、
湿潤ＥＲＢＰ値：１５５℃以上、
−４０℃での粘度：１８００ｍｍ２／ｓ以下
を満足する請求項１から１０までのいずれか１項記載の液体。
【請求項１２】
有利に高い相対湿度の地域での自動車内のブレーキ液としての請求項１から１１までのいずれか１項記載の液体の使用方法。
【発明の詳細な説明】
【技術分野】
【０００１】
本発明はボレート（ホウ酸エステル）の添加が必要でない新規ＤＯＴ４ブレーキ液に関する。前記ブレーキ液は
（ａ）ジエチレングリコールおよび／またはジプロピレングリコール１０〜５０質量％
および
（ｂ）（ポリ）エチレングリコールモノアルキルエーテルおよび／または（ポリ）プロピレングリコールモノアルキルエーテル５０〜９０質量％
を含有し、有利にポリグリコールジアルキルジエーテルを含まない。
【０００２】
油圧液および特に自動車用ブレーキ液は化学的および物理的特性に関するきわめて高い要求が課せられる。連邦自動車安全標準規格（ＦＭＶＳＳ）Ｎｏ１１６および自動車エンジン協会により刊行された標準規格ＳＡＥＪ１７０４における米国運輸局（ＵＳ  Ｄｅｐａｒｔｍｅｎｔ  ｏｆ  Ｔｒａｎｓｐｏｒｔａｔｉｏｎ、ＤＯＴ）のブレーキ液に関する既存の標準規格および規格により、近代的なブレーキ液は高い平衡還流沸騰点（ＥＲＢＰ）および高い湿潤ＥＲＢＰを有するべきであり、他方で広い温度範囲内でわずかにのみ変化する粘度を有するべきである。
【０００３】
従ってＦＭＶＳＳＮｏ１１６によるＤＯＴ４ブレーキ液に関して以下に示される規格値を満足することが必要である。
ＥＲＢＰ：２３０℃以上
湿潤ＥＲＢＰ：１５５℃以上
−４０℃での粘度：１８００ｍｍ２／ｓ以下。
【０００４】
更にブレーキ液に含まれる腐食防止剤添加物により達成できる、ブレーキ液による腐食から金属および非鉄金属を十分に良好に保護するより厳しい要求が存在する。市販されているＤＯＴ４ブレーキ液は常にホウ酸エステル、例えばメチルトリグリコールボレートを含有し、この物質は所定の量の浸透する水を加水分解によりブレーキ液から化学的に除去することができる。１つの欠点はホウ酸エステルがそれ自体吸湿性であり、結果としてＤＯＴ４ブレーキ液が、特に高い相対湿度の地域、例えば熱帯および亜熱帯の地域できわめて速く多くの水分を吸収し、ホウ酸エステルの捕捉機能にもかかわらずホウ酸エステルを満たしたブレーキ装置の作業能力に不利に作用することがある。
【０００５】
米国特許第３６２５８９９号は少なくとも１種のホウ酸エステル５４.５〜９２％、ポリアルキレングリコール２０％まで、およびポリグリコールモノアルキルエーテルまたはポリグリコールジアルキルエーテル３〜４３％、更に他の添加剤を含有するＤＯＴ４ブレーキ液を記載する。
【０００６】
米国特許第３９７２８２２号はポリグリコールモノアルキルエーテル４０〜６５％、ポリグリコール１６〜４５％、およびホウ酸エステル１０〜１９％、更に腐食防止剤を含有するＤＯＴ４ブレーキ液を記載する。
【０００７】
ＷＯ００／４６３２５号はメチルトリグリコールボレート、グリコールエーテルおよびグリコールを異なる量で含有し、更に添加剤を含有するＤＯＴ４ブレーキ液を記載する。
【０００８】
ＷＯ０２／３８７１１号も種々のメチルポリグリコールボレート、ポリグリコールモノアルキルエーテル、および腐食防止剤を含有する相当するＤＯＴ４ブレーキ液を開示する。
【０００９】
ドイツ特許第３６２７４３２号はグリコール成分３０〜８０％およびポリグリコールアルキルエーテル７０％までを含有するボレート不含のブレーキ液を記載する。グリコール成分はジエチレングリコールおよび／またはジプロピレングリコール０〜８０％、有利に５５〜８０％質量％を含有する。ポリグリコールアルキルエーテル成分は少なくとも１種のポリグリコールモノアルキルエーテル０〜９０質量％、有利に０〜５０質量％を含有する。これらの液体は選択された混合比でＤＯＴ４規格を満たす。これらの組成物の場合の１つの欠点はＥＲＢＰ値が特に規格の限界をわずかに上回り、更にポリグリコールジアルキルエーテルを使用し、この物質が合成のために費用がかかり、ゴムとシーリング剤の両立しない反応をしばしば生じることである。
【００１０】
更にＤＯＴ４規格を満たす低粘性ブレーキ液が必要である。
【００１１】
本発明の課題は前記ブレーキ液を提供することである。有利にこのブレーキ液はあまり吸湿性でなく、高い相対湿度の地域で使用できるべきである。特に少ない量のホウ酸エステルを使用することが必要であるか、またはこれらのエステルの使用が完全に必要でないべきである。
【００１２】
前記課題は、
（ａ）ジエチレングリコールおよび／またはジプロピレングリコール１０〜５０質量％
および
（ｂ）（ポリ）エチレングリコールまたは（ポリ）プロピレングリコールのモノアルキルエーテルの１種以上５０〜９０質量％
を含有するブレーキ液により解決される。
【００１３】
特に本発明の液体はホウ酸エステルを含まない。
【００１４】
ジエチレングリコールまたはジプロピレングリコールまたは任意の所望の比のジエチレングリコールとジプロピレングリコールの混合物を使用できる。ジエチレングリコールが有利である。
【００１５】
ジエチレングリコールおよび／またはジプロピレングリコールは新規ブレーキ液に１０〜５０質量％、有利に２０〜４０質量％の量で存在する。
【００１６】
本発明のブレーキ液の他の１つの成分は（ポリ）エチレングリコールおよび／または（ポリ）プロピレングリコールのモノアルキルエーテルの１種以上からなり、前記物質は本発明の液体に５０〜９０質量％、有利に６０〜８０質量％の量で存在する。
【００１７】
適当な（ポリ）エチレングリコールの例はモノエチレングリコール、ジエチレングリコール、トリエチレングリコール、テトラエチレングリコール、ペンタエチレングリコール、およびヘキサエチレングリコールである。
【００１８】
適当な（ポリ）プロピレングリコールの例はモノプロピレングリコール、ジプロピレングリコール、トリプロピレングリコール、テトラプロピレングリコール、ペンタプロピレングリコール、およびヘキサプロピレングリコールである。
【００１９】
ジエチレングリコール、トリエチレングリコールおよび／またはテトラエチレングリコールが有利である。
【００２０】
本発明により使用される（ポリ）エチレングリコールおよび（ポリ）プロピレングリコールのモノアルキルエーテル中のアルキル基は有利に直鎖状または分枝状Ｃ１〜Ｃ６−アルキル基である。直鎖状または分枝状Ｃ１〜Ｃ４−アルキル基、例えばメチル、エチル、イソプロピル、ｎ−プロピル、ｎ−ブチル、イソブチル、ｓ−ブチル、またはｔ−ブチルを使用することがより有利である。
【００２１】
アルキル基は特にメチル、エチル、イソプロピル、またはｎ−ブチルである。
【００２２】
本発明においてメチルジエチレングリコール、メチルトリエチレングリコール、メチルテトラエチレングリコールおよび／またはブチルトリエチレングリコールが有利である。
【００２３】
本発明のブレーキ液は湿潤ＥＲＢＰ値、特にボレート不含ブレーキ液を使用して現在まで達成されたＥＲＢＰ値に近いＥＲＢＰ値を有する。この値は現在ボレート含有液体を使用してのみ達成される値に匹敵する。しかしボレートの不在により、本発明の液体はボレート含有液体よりかなり吸湿性が劣る。これは特に熱帯および亜熱帯の地域で使用する間有利であり、それは一部の水がボレートの添加により結合するにもかかわらず、水がかなり速く吸収されるからである。これはそれぞれの場合にブレーキ液の特性の劣化を生じる。特にこの特性の損失は自動車のブレーキ系統で頻繁に起こり、液体の貯蔵および搬送の間にも起こる。本発明のブレーキ液は前記欠点を有しない。
【００２４】
本発明のブレーキ液が種々の量のホウ酸エステルを含有してもよいことは確かに該当する。しかしこれにより低い吸湿性という本発明の利点は一般に達成されない。これは特にホウ酸エステルを技術水準による一般的な量で添加する場合である。
【００２５】
更に本発明の液体は特にポリアルキレングリコールジアルキルエーテルを含まない。前記エーテルが種々の量で存在できるにもかかわらず、本発明のブレーキ液の利点、特にゴムとシーリング剤との相溶性は一般に達成されず、これはもちろん存在するポリアルキレングリコールジアルキルエーテルの量に依存する。
【００２６】
本発明の組成物に任意成分として更にポリグリコールが存在してもよい。エチレンオキシドおよび／またはプロピレンオキシドおよび／またはブチレンオキシドと水またはジオールのかなり高い沸点の反応生成物を有利に使用する。特にエチレンオキシドおよびプロピレンオキシドの混合物と水の反応生成物を使用する。前記ポリグリコール中のアルキレンオキシド単位の数は一般に２〜１０，有利に２または３であり、５％までの量で存在する。
【００２７】
これらの高沸点ポリグリコールの作用は潤滑剤の作用であり、温度−粘度特性のかなりの改良による。ポリグリコールはしばしば高い温度で低い粘度を有するポリグリコールモノアルキルエーテルに十分な粘度を付与し、十分な潤滑性を保証する。自動車ブレーキ系統の部品においてはゴムまたはエラストマーがきわめて摩耗を少なくして金属上を滑走することが必要であるので、十分な潤滑性が望ましい。
【００２８】
他の１つの実施態様において、自動車用新規ＤＯＴ４ブレーキ液は更に１種以上の腐食防止剤０.００１〜１０質量％、有利に０.００５〜４質量％、特に０.００５〜１質量％、を含有し、腐食防止剤は例えば１Ｈ−１，２，３−ベンゾトリアゾール、１Ｈ−１，２，３−トルトリアゾール、水素化１Ｈ−１，２，３−トルトリアゾール、ベンズイミダゾールおよび／またはその誘導体、リン酸および亜リン酸のアルカリ金属塩、脂肪酸、有利にカプリル酸、ラウリン酸、パルミチン酸、ステアリン酸またはオレイン酸およびこれらのアルカリ金属塩、リン酸および亜リン酸のエステル、有利にリン酸エチル、リン酸ジメチル、リン酸イソプロピル、リン酸ジイソプロピル、亜リン酸ブチル、または亜リン酸ジメチル、エトキシル化されていてもよいモノアルキルアミンおよびジアルキルアミンおよび前記アミンと無機酸および脂肪酸との塩、有利にブチルアミン、ヘキシルアミン、オクチルアミン、イソノニルアミン、オレイルアミン、ジプロピルアミン、ジイソプロピルアミンまたはジブチルアミン、エトキシル化されていてもよいアルカノールアミン、有利にモノ−、ジ−またはトリエタノールアミン、Ｎ，Ｎ′−ジ−ｎ−ブチルアミノエタノールまたは１，１′−イミノジプロパン−２−オール、シクロヘキシルアミンおよび／またはニトロ芳香族化合物、有利に３−ニトロベンズアルデヒドである。
【００２９】
本発明のブレーキ液は、ＷＯ０１／９０２８１号に記載された、以下の式：
【００３０】
【化１】
2006519887.tif 000002
（式中、
（ｉ）ＸがＮであり、ＹがＣＲであり、ＺがＮであるか、または
（ｉｉ）ＸがＮであり、ＹがＮであり、ＺがＮまたはＣＲであるか、または
（ｉｉｉ）ＸがＣＲであり、ＹがＮであり、ＺがＮであり、
Ｒはそれぞれ存在する他の基Ｒと独立に、水素原子または基Ｒ１であり、
Ｒ１はそれぞれ存在する他の基Ｒ１と独立にアルキル、アリール、アラルキル、ハロゲン、ハロゲンアルキル、非置換またはアルキル、アリールまたはアラルキルで置換されたアミノ、複素環の基、シアノ、カルボキシ、アルコキシカルボニル、ヒドロキシルまたはアルコキシであり、前記有機基Ｒ１はそれぞれ１〜３０個の炭素原子を有し、
ｎは０，１または２である）を有する１種以上の複素環式化合物を含有することができる。この種の有利な化合物の例はプリン、アデイニン、６−クロロプリン、２，６−ジクロロプリン、６−メトキシプリン、１Ｈ−１，２，３−トリアゾロ［４，５ｂ］ピリジン、６−ヒスタミノプリンおよび６−フルフリルアミノプリンを含む。
【００３１】
本発明のボレート不含ＤＯＴ４ブレーキ液は更にＷＯ０２／０８１６０４号に記載された１Ｈ−１，２，４−トリアゾールを含有する組成物を含有することができる。
【００３２】
本発明のブレーキ液は、付加的にＷＯ００／６５００１号に記載された、一般式Ｉ
【００３３】
【化２】
2006519887.tif 000003
（式中、
Ｘは酸素原子または式Ｎ−Ｒ１の基であり、
Ｒ１は水素または直鎖状または分枝状Ｃ１〜Ｃ２０−アルキル基であり、前記基は付加的に９個までの隣接しない酸素原子により中断されていてもよくおよび／または６個までのヒドロキシル基を有することができ、またはシクロアルキル基、または置換されていないかまたは置換されたフェニル基であり、
Ａは式−ＣＲ２Ｒ３−の基であり、
Ｒ２およびＲ３はそれぞれ水素原子またはＣ１〜Ｃ８−アルキル基であり、前記基は付加的に４個までの隣接しない酸素原子により中断されていてもよくおよび／または３個までのヒドロキシル基を有することができ、
ｎは２〜７である）を有する環状カルボン酸誘導体を含有することができる。
【００３４】
これらは水の存在で低温粘度を減少する成分として適している。
【００３５】
自動車用新規ブレーキ液中の他の成分および助剤は通常の酸化防止剤、例えばフェノチアジンおよび／またはフェノールをベースとするものおよび通常の消泡剤およびマーカーである。
【００３６】
すでに記載したおよび以下に記載するすべての質量％はそれぞれ油圧液またはブレーキ液の全部の量に関する。
【００３７】
本発明のボレート不含ＤＯＴ４ブレーキ液は冒頭に記載された要求をすぐれたやり方で満足し、更に技術水準に比べて一般に良好な腐食特性を有し、すなわち鉄、鋼、錫板、鋳鉄（ねずみ鋳鉄）、鉛、錫、クロム、亜鉛、アルミニウム、マグネシウムのような金属およびこれらの合金の場合におよびはんだ金属、例えば錫はんだの場合に、および銅のような非鉄金属およびその合金、例えば真鍮の場合に、きわめて良好な腐食の防止が保証される。
【００３８】
ボレートを含まないことによりかなり減少した吸湿特性のほかに、記載することができる自動車用新規ＤＯＴ４ブレーキ液の他の利点は有利な低温粘度、良好な水相溶性、温和なｐＨ値、良好な低温安定性、高温安定性、および酸化安定性、および良好な化学的安定性、ゴム、プラスチック、糊接合箇所、繊維、エラストマーおよびゴムシールおよび類似の材料のような材料に対する有利な特性（すなわち良好な相溶性）および良好な潤滑特性である。
【００３９】
以下の実施例により本発明を説明するが、本発明を限定するものでない。
【００４０】
使用例
使用した本発明のボレート不含ＤＯＴ４ブレーキ液ＢＦ１は以下の組成を有した。
【００４１】
本発明の例ＢＦ１：
ジエチレングリコール３１.０％
メチルジグリコール、ブチルジグリコール、ブチルトリグリコールおよびメチルテトラグリコールの混合物６７.７％
１，１′−イミノジプロパン−２−オール、ビスフェノールＡ、トルトリアゾールおよび３−ニトロベンズアルデヒド１.３％。
【００４２】
比較例ＢＦ２
（ドイツ特許第３６２７４３２Ｃ２号からの例５に相当）
ジエチレングリコール３９％
トリエチレングリコール２６％
トリエチレングリコールジメチルエーテル２４％
メチルトリグリコール１０％
腐食防止剤（１，１′−イミノジプロパン−２−オール使用）１％。
【００４３】
物理的データ
ＢＦ１                  ＢＦ２（比較例）  
ＥＲＢＰ［℃］          ２５１                  ２３４
湿潤ＥＲＢＰ［℃］      １５９                  １５３
（水吸収率３.２７％        （水吸収率３.９３％
参考ＲＭ７１３.７３％）      参考ＲＭ７１３.７０％）
粘度−４０℃：１３９３                          １２７７
［ｍｍ／ｓ］
ＤＥ３６２７４３２Ｃ２による技術水準に比べて本発明のボレート不含ＤＯＴ４ブレーキ液は特にかなり高いＥＲＢＰ値を有し、この値はＢＦ１の場合にＦＭＶＳＳＮｏ１１６による最低必要量を２０℃だけ容易に上回る。更に低い水吸収率およびこれと結合した高い湿潤ＥＲＢＰ値を有する。
【００４４】
本発明のブレーキ液は更にＢＦ１に関して以下の結果により示されるきわめて良好な腐食防止を生じる。
【００４５】
ＳＡＥＪ１７０４による腐食試験、１２０時間／１００℃の持続試験
金属              質量変化                    外観
［ｍｇ／ｃｍ２］
錫板              ±０.００                変化せず
鋼                ＋０.０１                変化せず
アルミニウム      ±０.００                変化せず
鼠鋳鉄            ＋０.０４                変化せず
真鍮              −０.０５                わずかに曇り
銅                −０.０５                わずかに曇り
亜鉛              ＋０.０３                曇り
ｐＨ値試験前／試験後：９．９／９.６。
【手続補正書】
【提出日】平成17年10月11日(2005.10.11)
【手続補正１】
【補正対象書類名】特許請求の範囲
【補正対象項目名】全文
【補正方法】変更
【補正の内容】
【特許請求の範囲】
【請求項１】
（ａ）ジエチレングリコールおよび／またはジプロピレングリコール１０〜５０質量％
および
（ｂ）（ポリ）エチレングリコールおよび／または（ポリ）プロピレングリコールのモノアルキルエーテルの１種以上５０〜９０質量％
を含有するブレーキ液体。
【請求項２】
ホウ酸エステルを含有しない請求項１記載の液体。
【請求項３】
ポリアルキレングリコールジアルキルエーテルを含有しない請求項１または２記載の液体。
【請求項４】
成分ａ）としてジエチレングリコールを使用する請求項１から３までのいずれか１項記載の液体。
【請求項５】
成分ｂ）において、グリコールがモノエチレングリコール、ジエチレングリコール、トリエチレングリコール、テトラエチレングリコール、ペンタエチレングリコール、ヘキサエチレングリコール、モノプロピレングリコール、ジプロピレングリコール、トリプロピレングリコール、テトラプロピレングリコール、ペンタプロピレングリコール、およびヘキサプロピレングリコールから選択される請求項１から４までのいずれか１項記載の液体。
【請求項６】
成分ｂ）において、アルキル基が直鎖状および分枝状Ｃ１〜Ｃ６−アルキル基から選択される請求項１から５までのいずれか１項記載の液体。
【請求項７】
成分ｂ）がメチルジエチレングリコール、メチルトリエチレングリコール、メチルテトラエチレングリコール、およびブチルトリエチレングリコールから選択される請求項１から６までのいずれか１項記載の液体。
【請求項８】
エチレンオキシドおよび／またはプロピレンオキシドおよび／またはブチレンオキシドと水またはジオールの反応生成物が更に存在する請求項１から７までのいずれか１項記載の液体。
【請求項９】
１種以上の腐食防止剤０.００１〜１０質量％が存在する請求項１から８までのいずれか１項記載の液体。
【請求項１０】
腐食防止剤が１Ｈ−１，２，３−ベンゾトリアゾール、１Ｈ−１，２，３−トルトリアゾール、水素化１Ｈ−１，２，３−トルトリアゾール、ベンズイミダゾールおよび／またはその誘導体、リン酸および亜リン酸のアルカリ金属塩、脂肪酸、これらのアルカリ金属塩、リン酸および亜リン酸のエステル、エトキシル化されていてもよいモノ−およびジアルキルアミン、および無機酸および脂肪酸とのこれらの塩、エトキシル化されていてもよいアルカノールアミン、シクロヘキシルアミンおよび／またはニトロ芳香族化合物からなる群から選択される請求項１から９までのいずれか１項記載の液体。
【請求項１１】
以下の規格値（ＤＯＴ４）
ＥＲＢＰ：２３０℃以上、
湿潤ＥＲＢＰ値：１５５℃以上、
−４０℃での粘度：１８００ｍｍ２／ｓ以下
を満足する請求項１から１０までのいずれか１項記載の液体。
【請求項１２】
自動車内のブレーキ液としての請求項１から１１までのいずれか１項記載の液体の使用方法。
【国際調査報告】
2006519887.tif 000004
2006519887.tif 000005
2006519887.tif 000006
2006519887.tif 000007
2006519887.tif 000008
2006519887.tif 000009